(57)【要約】      （修正有）【課題】室外機が不要で、移動可能で、熱量の室外排出がなく、水循環や空気循環熱対流などで室内を全体的に降温され、プラグアンドプレイ操作可能な室内降温冷却設備を提供する。【解決手段】コンプレッサー本体６、コンプレッサー本体と連接している導冷フィン５や放熱フィン１２を含み、上記のコンプレッサー本体内に冷却剤が充填され、上記の導冷フィンは冷水タンク４の中に設置され、上記の放熱フィンは熱伝導水タンク１１内に設置され、上記の熱伝導水タンクは熱水タンク１０内に設置され、上記の熱水タンクの一端はパイプにより貯水タンク１３と連接しており、もう一端はパイプにより加熱水タンク９と連接しており、上記の貯水タンクの進水口及び加熱水タンクの出水口に浄水装置７が連接されている。【選択図】図１
2019100693.tif 000002
【特許請求の範囲】
【請求項１】
移動式室内降温冷却設備であって、
冷却モジュール、ポンプ、冷水タンク、コンプレッサー、浄水装置、貯水タンク、熱伝導水タンク、熱水タンク及び加熱水タンクを含み、
上記の冷却モジュールは、表面式冷却器と放熱ファンを含むが、冷水タンクに設置され、上記の表面式冷却器はポンプにより冷水タンクと連接しており、上記の放熱ファンは表面式冷却器の一側に設置されており、
上記のコンプレッサーは、コンプレッサー本体、コンプレッサー本体と連接している導冷フィンや放熱フィンを含み、上記のコンプレッサー本体内に冷却剤が充填され、上記の導冷フィンは冷水タンクの中に設置され、上記の放熱フィンは熱伝導水タンク内に設置され、
上記の熱伝導水タンクは熱水タンク内に設置され、上記の熱水タンクの一端はパイプにより貯水タンクと連接しており、もう一端はパイプにより加熱水タンクと連接しており、上記の貯水タンクの進水口及び加熱水タンクの出水口に浄水装置が連接されていることを特徴とする移動式室内降温冷却設備。
【請求項２】
上記の貯水タンク、熱水タンク及び加熱水タンクはパイプにより順序に一方向で連接していることを特徴とする請求項１に記載の移動式室内降温冷却設備。
【請求項３】
上記のパイプ内に一方向弁が設置されていることを特徴とする請求項２に記載の移動式室内降温冷却設備。
【請求項４】
上記の熱水タンク内に加熱器と温度センサーが設置されていることを特徴とする請求項１に記載の移動式室内降温冷却設備。
【請求項５】
上記の冷水タンク、熱水タンク及び加熱水タンクに保温断熱層が設置されていることを特徴とする請求項１に記載の移動式室内降温冷却設備。
【請求項６】
上記の導冷フィンの材質は銅またはアルミニウムであることを特徴とする請求項1に記載の移動式室内降温冷却設備。
【発明の詳細な説明】
【技術分野】
【０００１】
本発明は冷却技術分野に関するが、特に室外機による熱交換が不要の、単一密封空間の中でコンプレッサーと水循環方式により実現される移動式室内降温冷却設備に関する。
【背景技術】
【０００２】
いまでは、市場で普遍的に採用されている冷却設備は主に各種の方式のエアコンとファン設備である。ファンは冷却過程で主に空気の流動により体表の熱量を除去するが、真の意味での冷却の効果を実現し、室内温度を下げることができなく、特に蒸し暑い、湿気環境における効果がよくない。エアコン設備は、普遍的に室外機を利用して二つの独立空間の間で熱交換を行う冷却方式を採用しており、室内温度保証の効果を発揮するが、冷却過程で発生し排出した熱量を取集し利用することができなく、すべて外部環境に排出し、環境の汚染と資源の浪費を発生させている。そして、エアコンから排出された熱量は全体的な環境に対し、破環作用があり、都市のヒートアイランド効果を強化し、空気の構造を破壊することがある。特に夏には、都市の温度が高いのは、エアコンの室外機から排出された熱がその原因一つとなる。同時に、室外機は建築物の外壁の全体性を破格し、都市の外観に影響を及ぼし、一定の安全リスクもある。エアコンを取り付けるには、多くの力を投じてエアコンウェルとパイプを設計し設置する必要があり、これらのパイプは長期で使用されると、内部に有害菌群が発生し、人体にとって大きな危害がある。それに、エアコンパイプの保守、交換も多くの時間と人力がかかる工事になる。また、室外機は作動のとき、大きな騒音を発生し、騒音汚染を発生させている。
【発明の概要】
【発明が解決しようとする課題】
【０００３】
既存の技術の不足を解決するために、本発明は、コンプレッサーで冷却し、水を加熱し、室外機が不要で、移動可能で、熱量の室外排出がなく、水循環や空気循環熱対流などで室内を全体的に降温され、プラグアンドプレイ操作可能な室内降温冷却設備を提供した。
【課題を解決するための手段】
【０００４】
本発明の技術方案：
移動式室内降温冷却設備で、冷却モジュール、ポンプ、冷水タンク、コンプレッサー、浄水装置、貯水タンク、熱伝導水タンク、熱水タンク及び加熱水タンクを含む。上記の冷却モジュールは、表面式冷却器と放熱ファンを含むが、冷水タンクに設置され、上記の表面式冷却器はポンプにより冷水タンクと連接しており、上記の放熱ファンは表面式冷却器の一側に設置されている。上記のコンプレッサーは、コンプレッサー本体、コンプレッサー本体と連接している導冷フィンや放熱フィンを含み、上記のコンプレッサー本体内に冷却剤が充填され、上記の導冷フィンは冷水タンクの中に設置され、上記の放熱フィンは熱伝導水タンク内に設置され、上記の熱伝導水タンクは熱水タンク内に設置され、上記の熱水タンクの一端はパイプにより貯水タンクと連接しており、もう一端はパイプにより加熱水タンクと連接しており、上記の貯水タンクの進水口及び加熱水タンクの出水口に浄水装置が連接されている。
【０００５】
さらに、上記の貯水タンク、熱水タンク及び加熱水タンクはパイプにより順序に一方向で連接している。
【０００６】
また、さらに、上記のパイプ内に一方向弁が設置されている。
【０００７】
さらに、上記の熱水タンク内に加熱器と温度センサーが設置されている。
【０００８】
さらに、上記の冷水タンク、熱水タンク及び加熱水タンクに保温断熱層が設置されている。
【０００９】
さらに、上記の導冷フィンの材質は銅またはアルミニウムである
【発明の効果】
【００１０】
本発明の有益な効果：
本発明の優位性としては、サイズが小さく、冷却効果がよく、室外機を設置する必要がなく、エコ・省エネで、プラグアンドプレイ・移動可能で、人体の感覚が快適で、エネルギー消耗が少なく、室内の熱量を貯蔵して生活に使用することができ、資源の合理的利用を実現することができる。
【図面の簡単な説明】
【００１１】
【図１】図1は本発明の構造見取図である。
【図２】図2は本発明の冷熱水流動見取図である。
【発明を実施するための形態】
【００１２】
以下で付図を参照しながら本発明をさらに詳しく説明するが、本発明の限定とならない。
【００１３】
図1と図2に示された通り、移動式室内降温冷却設備で、冷却モジュール、ポンプ3、冷水タンク4、コンプレッサー、浄水装置7、貯水タンク13、熱伝導水タンク11、熱水タンク10及び加熱水タンク9を含む。上記の冷却モジュールは表面式冷却器2と放熱ファン1を含むが、冷水タンク4に設置され、上記の表面式冷却器2は、ポンプ3により冷水タンク4と連接しており、上記の放熱ファン1は表面式冷却器2の一側に設置されている。コンプレッサーは、コンプレッサー本体6とコンプレッサー本体6と連接している導冷フィン5や放熱フィン12を含み、上記のコンプレッサー本体6はダンパー・ノイズリダクションプラットフォームに設置され、上記の導冷フィン5の材質は銅またはアルミニウムである。上記の表面式冷却器2はポンプ3により冷水タンク4と連接して循環を形成させ、コンプレッサーにより冷却水タンク4における水の熱量を持ち去り、冷水タンク4でポンプ3により表面式冷却器2に伝送して循環させ、表面式冷却器2は室内環境と熱交換を行い、室内空気の熱量を吸収し、空気温度を下げて、冷却の効果を収める。同時に、放熱ファン1の送風により、室内空気を循環させ、室内温度を均一的に下げて、室内降温を完成する。
【００１４】
上記のコンプレッサー本体6内に冷却剤が充填され、上記の導冷フィン5は冷水タンクの中に設置され、水面以下に没入する。上記の放熱フィン12は熱伝導水タンク11内に設置され、水面以下に没入する。上記の熱伝導水タンク11は熱水タンク10内に設置され、上記の熱伝導水タンク11は全封閉式で、かつ内部に水が満ちている。上記の熱水タンク10の一端はパイプにより貯水タンク13と連接しており、もう一端はパイプにより加熱水タンク9と連接しており、上記の熱水タンク9内に加熱器8と温度センサーが設置されている。上記の貯水タンク13の進水口及び加熱水タンク9の出水口に浄水装置7が連接されている。上記の貯水タンク13、熱水タンク10及び加熱水タンク9はパイプにより順序に一方向で連接しており、上記のパイプ内に一方向弁が設置され、加熱水タンク10のほか、その他の水タンクに水が充填される。安全を保証し、および収集した熱量を環境に放出させないために、上記の冷水タンク4、熱水タンク10及び加熱水タンク9に保温断熱層が設置されている。
【００１５】
コンプレッサー冷却が発生した熱量は、放熱フィンを通じてまず熱伝導水タンクの水より吸収され、それから熱水タンクの水より吸収され、熱水タンクの水温が70℃以上になったとき、熱水が加熱水タンクに流れ込み、使用に準備し、同時に貯水タンクにおける冷水が熱水タンクに入り引き続き熱伝導水タンクにおける熱量を吸収する。上記の加熱水タンク内に加熱器があり、ユーザーは必要により加熱水タンクにおける水を加熱するかどうかを選択することができ、加熱後の水が最高で沸騰までになることができ、最後、出水口浄化装置により浄化されて、生活用水または飲用水に使用されることができる。
【００１６】
本発明の原理：
コンプレッサーは、冷却剤を低圧から高圧に上げ、かつ冷却剤をコンプレッサー、放熱フィン、導冷フィン内に絶えずに循環・流動させ、かつ形態変換をさせる。冷却剤は、導冷フィン中で液体から気体へ形態を変化し、熱量を吸収して、冷却水タンクにおける熱量を持ち去る。冷却剤は、放熱フィンの中で、気体から液体に変化し、熱量を熱水タンクに放出して、システムは絶えずに吸収した熱量を熱水タンクに排出して貯蔵させ、熱水タンクの熱量貯蔵が70℃になると、熱水タンクにおける熱水を加熱水タンクに注ぎ、同時に貯水タンクの冷水を熱水タンクに注ぎ、引き続き貯熱し、導出された熱水を浄化後、日常生活のその他の用途に使用することができる。コンプレッサーは冷却システムの心臓であり、冷却システムは、コンプレッサーにより電気エネルギーを入力して、電圧を調節して、冷却剤の形態変化を発生させて、熱量を絶えずに冷却水タンクから熱水タンクに排出する。コンプレッサーの導冷フィンは、冷水タンクにおける水と熱交換を行い、冷却水タンクにおける熱量を吸収して、冷水タンクにおける水の温度を下げ、コンプレッサーが冷却剤を圧縮して釈放した熱量は、コンプレッサー放熱フィンにより熱水タンクにおける水より吸収される。水は、比熱容量が非常に大きく、熱伝導性能が良好で、大量な熱量を貯蔵でき、温度が比較的高くまで上がってもシステムが依然として安定的作動できるので、冷却水タンクにおける水の冷却効果に影響を与えることがない。同冷却システムは、熱量を外部に排出しない特性があるので、環境に対し破壊がなく、冷却システムが発生した熱量を収集・利用して、エネルギー消耗を減少することができる。
【００１７】
コンプレッサーの冷却信頼性は高く、設備の使用寿命を長めた。コンプレッサー作動過程で発生した熱量は外部に排出されなく、二次使用に利用されるので、資源を十分に利用したうえ、環境を破壊こともない。システム内の水はユーザーの必要により、水道水また純水を採用し、加熱器により加熱後の水を浄化装置により浄化後、お風呂や飲用などに使用することができる。それに、システムは熱水タンクで排出された熱量を合理的に利用することができ、冷却機能を果たすとともに、人々のために高品質の生活用水を提供でい、資源を十分に利用し、エネルギー消耗を減少し、エネルギーを節約することができる。
【００１８】
以上に記載の本発明の実施方式は、本発明の権利保護範囲を限定するものではない。いかなる本発明の原理と原則に基づいて行われた修正、同等代替及び改進等はいずれも本発明の権利保護範囲内とする。
【符号の説明】
【００１９】
1、放熱ファン。2、表面式冷却器。3、ポンプ。4、冷水タンク。5、導冷フィン。6、コンプレッサー本体。7、浄化装置。8、加熱器。9、加熱水タンク。10、熱水タンク。11、熱伝導水タンク。12、放熱フィン。13、貯水タンク。
【図１】
2019100693.tif 000003
【図２】
2019100693.tif 000004